(57)【特許請求の範囲】
【請求項１】
情報を表示する略長方形の表示画面が正面に設けられたディスプレイ部と、前記ディスプレイ部を支持するスタンドとを有するディスプレイ装置であって、
前記ディスプレイ部の背面は、一端が前記背面に固定され、前記ディスプレイ部に対して垂直に突出する軸部と、前記軸部を中心に囲む閉接された軌道辺とを備え、
前記スタンドは、前記軸部を挿入する線状溝が長手方向に設けられ、かつ、前記線状溝の下方に、前記軌道辺に当接する当接部材が前記ディスプレイ部に対して垂直に突出して設けられており、
前記軌道辺は、前記軸部との距離が軌道上の他の位置に比べて短くなる窪みを、前記ディスプレイ部の縦方向及び横方向にそれぞれ持つことを特徴とするディスプレイ装置。
【請求項２】
請求項１において、
前記スタンドは、載置面に接する台座と、前記台座に接続され、前記台座から垂直方向に伸びる背面板とを備えていることを特徴とするディスプレイ装置。
【請求項３】
請求項２において、更に、
前記ディスプレイ部の左右に配置される第１及び第２の付属部材を有し、
前記スタンドは、一端が前記背面板に固定され、前記第１及び第２の付属部材をそれぞれ水平に挿入する接続部材を備え、
第１の付属部材は、前記ディスプレイ部に対し垂直に突出し、前記軌道辺に当接する第１の固定部材を備え、
第２の付属部材は、前記ディスプレイ部に対し垂直に突出し、前記軌道辺に当接する第２の固定部材を備えており、
前記第１の固定部材と前記第２の固定部材は弾性部材により連結され、前記軌道辺を外側から挟んで当接することを特徴とするディスプレイ装置。
【請求項４】
請求項１において、
前記スタンドは、壁面に固定するための取り付け部材と、前記取り付け部材に接続され、前記取り付け部材への取り付け角度の調節が可能なアームとを備えていることを特徴とするディスプレイ装置。
【請求項５】
請求項１乃至４のいずれかにおいて、
前記当接部材は、軸状部材であり、
前記軌道辺は、前記軸状部材の先端が挿入されるガイド溝により形成されることを特徴とするディスプレイ装置。
【請求項６】
請求項１乃至４のいずれかにおいて、
前記軌道辺は、前記ディスプレイ部の背面を前記軸部を中心に所定の領域を覆い、前記スタンドに対して突出して設けられる突出部材により形成されることを特徴とするディスプレイ装置。
【請求項７】
請求項６において、
前記当接部材は、滑車であり、
前記突出部材は、カムであることを特徴とするディスプレイ装置。
【請求項８】
請求項１乃至４のいずれかにおいて、
前記軌道辺は、取り外し可能で、かつ、変形可能な部材により形成されることを特徴とするディスプレイ装置。
【発明の詳細な説明】
【技術分野】
【０００１】
本発明は、ディスプレイ装置に関し、特に、画面の回転に連動して画面の高さが可変なディスプレイ装置に関する。
【背景技術】
【０００２】
ディスプレイ装置、特に液晶ディスプレイ装置は、小型、軽量、省スペースなことからPC(Personal Computer)等の表示装置として多く利用されている。PCで実行されるアプリケーションプログラムの多様化により、ほぼ長方形である画面を横向きに使用するのではなく、長辺を鉛直方向と平行にして縦向きで使用する方が適している場合がある。例えば、ブラウザによりインターネット上のコンテンツを閲覧するとき、ブラウザを縦長の画面に表示する方が一度に表示される情報量が多く、縦方向の画面スクロールの必要性を減少させるので、ユーザにとって利用しやすいことがある。さらに、文書編集の場合でも、縦長の文書画面を全画面表示するときは、縦長の画面のほうが見やすく、編集しやすい。よって、アプリケーションプログラムに応じて、ユーザが、画面の縦横の向きを頻繁に変更してディスプレイ装置を使用することも増えている。【０００３】
こうした画面の向きを変えることができるディスプレイ装置に関しては、従来例として、さまざまな提案がなされている。特許文献１によれば、画面の向きを変えるのに必要な回転機構と、画面の高さを調整する上下動機構を独立の機構とするのではなく、組み合せることで構造を簡単化した画面縦横切替え機構、薄型表示装置が提案される。【０００４】
また、特許文献２によれば、縦横切替え時の画面の床等への干渉を防止すると共に、縦長時の画面位置を低くすることができる薄型表示装置が提案されており、また、特許文献３によれば、縦長時の画面中心と横長時の画面中心とが異なるように、回転中心が設定される薄型ディスプレイ装置が提案される。また、特許文献４によれば、ディスプレイ部の回転に応じてシャッタを開閉移動する開閉機構を備え、ディスプレイ部の縦横の向きに関係なくディスプレイ部の上面に位置する通気孔のシャッタが開く表示装置が提案されている。
【特許文献１】特開平１１−３３８３６３号公報
【特許文献２】特開平１１−７２５０号公報
【特許文献３】特開平１０−２４０１４０号公報
【特許文献４】特開２０００−４７５９１号公報
【発明の開示】
【発明が解決しようとする課題】
【０００５】
しかしながら、画面の向きを変えることのできるディスプレイ装置に関する従来技術においては、回転中心が必ずしも画面中心と一致しておらず、回転動作がバランスを欠き、偏った箇所に加重されている。従って、回転機構や画面を支える支持機構に使用される部材の損耗を早めることがある。又長期の使用により部材が損耗しているとき、誤ってユーザが回転動作を支持する手を離してしまった場合、回転中心の偏心により画面が自由回転することにより、ディスプレイ装置が床、机に接触し破損したり、ユーザが怪我をする可能性がある。【０００６】
また、従来技術においては、回転の方向が予め定められた一方向である場合があり、回転のできない方向にユーザが誤って過度の力を加えてしまった場合、回転機構を損傷する結果となっていた。こうして、回転中心と画面中心との不一致や、一方向にしか回転のできないといった非対称性は、ユーザに対してフレンドリーではなく、製品の使い勝手を下げる結果を招く。【０００７】
さらに、スピーカや画面の調整を行うためのオペレーションキー等の付属物がディスプレイ装置にある場合、付属物は、画面の回転と一緒に回転してしまい、縦長時あるいは横長時に使用しにくい位置に移動することがあった。付属物を画面から切り離すことができる製品もあるが、画面の向きを変えた後、適切な箇所に再度取り付ける作業が必要であり、面倒であった。
【課題を解決するための手段】
【０００８】
そこで本発明の目的は、画面の回転時に画面位置をユーザに対して最適な位置に配置するディスプレイ装置であって、回転中心が画面中心と一致するディスプレイ装置を提供することにある。好ましくは、画面を回転しても付属物の再取り付けを必要としないディスプレイ装置が望ましい。【０００９】
上記目的は、本発明の第１の側面によれば、情報を表示する略長方形の表示画面が正面に設けられたディスプレイ部と、前記ディスプレイ部を支持するスタンドとを有するディスプレイ装置であって、前記ディスプレイ部の背面は、一端が前記背面に固定され、前記ディスプレイ部に対して垂直に突出する軸部と、前記軸部を中心に囲む閉接された軌道辺とを備え、前記スタンドは、前記軸部を挿入する線状溝が長手方向に設けられ、かつ、前記線状溝の下方に、前記軌道辺に当接する当接部材が前記ディスプレイ部に対して垂直に突出して設けられており、前記軌道辺は、前記軸部との距離が軌道上の他の位置に比べて短くなる窪みを、前記ディスプレイ部の縦方向及び横方向にそれぞれ持つことを特徴とするディスプレイ装置を提供することにより達成される。【００１０】
上記発明の側面においてより好ましい実施例によれば、前記スタンドは、載置面に接する台座と、前記台座に接続され、前記台座から垂直方向に伸びる背面板とを備えている。また、上記実施例において、前記ディスプレイ装置は、前記ディスプレイ部の左右に配置される第１及び第２の付属部材を有し、前記スタンドは、一端が前記背面板に固定され、前記第１及び第２の付属部材をそれぞれ水平に挿入する接続部材を備え、第１の付属部材は、前記ディスプレイ部に対し垂直に突出し、前記軌道辺に当接する第１の固定部材を備え、第２の付属部材は、前記ディスプレイ部に対し垂直に突出し、前記軌道辺に当接する第２の固定部材を備えており、前記第１の固定部材と前記第２の固定部材は弾性部材により連結され、前記軌道辺を外側から挟んで当接してもよい。【００１１】
上記発明の側面においてより好ましい実施例によれば、前記スタンドは、壁面に固定するための取り付け部材と、前記取り付け部材に接続され、前記取り付け部材への取り付け角度の調節が可能なアームとを備えている。また、上記発明の側面においてより好ましい実施例によれば、前記当接部材は、軸状部材であり、前記軌道辺は、前記軸状部材の先端が挿入されるガイド溝により形成されてもよい。【００１２】
上記発明の側面においてより好ましい実施例によれば、前記軌道辺は、前記ディスプレイ部の背面を前記軸部を中心に所定の領域を覆い、前記スタンドに対して突出して設けられる突出部材により形成される。上記実施例において、前記当接部材は、滑車であり、前記突出部材は、カムであってもよい。  上記発明の側面においてより好ましい実施例によれば、前記軌道辺は、取り外し可能で、かつ、変形可能な部材により形成される。
【発明の効果】
【００１３】
本発明によれば、画面の向きを縦長あるいは横長に変更する場合、ユーザは、画面の中心を回転中心とする画面の回転動作だけで、変更後の画面の高さを最適に調整することができる。こうして、ユーザは画面の向きの変更と高さの調整を一度の動作で済ませることができ、画面の向きの変更に伴うユーザの手間が軽減される。【００１４】
回転中心は、画面の中心であるため、回転動作をバランスよく行うことができ、加重が偏ることが防止される。余計な部材の損耗も防止される。【００１５】
また、画面の向きを変更するには、ユーザは、画面を左右どちらに回転してもよく、画面の回転が一方向に限定されることで起こる部品の損傷等を防ぐことができる。また、このことは、ユーザに対して優しい（ユーザフレンドリーな）設計となる。【００１６】
さらに、スピーカや画面の調整を行うためのオペレーションキー等がディスプレイ装置に付属している場合、画面が縦長でも横長でも、付属物はディスプレイ装置の左右の適切な位置に配置される。こうして、画面の向きを変更してもユーザが再度取り付ける作業は必要ではなく、画面の向きの変更に伴うユーザの手間が軽減される。
【図面の簡単な説明】
【００１７】
【図１】本発明の第一の実施形態におけるディスプレイ装置を説明する図であり、Ａは、ディスプレイ装置の正面図、Ｂは、ディスプレイ装置の背面図、Ｃは、ディスプレイ装置の右側面図である。
【図２】ディスプレイ部１０とスタンド３０の接続関係を説明する図であり、Ａは、ディスプレイ部の背面図であり、Ｂは、スタンドの右側面図である。
【図３】Ａ、Ｂはそれぞれ、固定ピンを中心に囲む閉接された軌道辺の実現例を示す、ディスプレイ部の右側面図である。
【図４】本発明の第一の実施形態におけるディスプレイ装置の回転時の様子を説明する図であり、Ａは、モニタ横長時における正面図、断面図、背面図、背面斜視図であり、Ｂは、モニタ回転途中における正面図、断面図、背面図、背面斜視図であり、Ｃは、モニタ縦長時における正面図、断面図、背面図、背面斜視図である。
【図５】Ａは、第一の実施形態におけるモニタ横長時の断面図を拡大したものであり、Ｂは、第一の実施形態におけるモニタ横長時の背面図を拡大したものである。
【図６】Ａは、第一の実施形態におけるモニタ回転途中の断面図を拡大したものであり、Ｂは、第一の実施形態におけるモニタ回転中の背面図を拡大したものである。
【図７】Ａは、第一の実施形態におけるモニタ縦長時の断面図を拡大したものであり、Ｂは、第一の実施形態におけるモニタ縦長時の背面図を拡大したものである。
【図８】Ａは、第一の実施形態の変形例を説明する図であり、Ｂは、変形例において使用される連結部材の分解図である。
【図９】第一の実施形態の変形例におけるディスプレイ装置を回転するときの様子を説明する図であり、Ａは、モニタ横長時の背面図、Ｂは、モニタ縦長時の背面図である。
【図１０】本発明の第二の実施形態におけるディスプレイ装置を説明する背面図である。
【図１１】第二の実施形態におけるディスプレイ装置の部分分解図である。
【図１２】第二の実施形態におけるディスプレイ回転時の背面図であり、Ａは、モニタ横長時、Ｂは、モニタ回転途中、Ｃは、モニタ縦長時を示す。
【符号の説明】
【００１８】
１０  ディスプレイ部、１１  モニタ（表示画面）、１２  ガイド溝、１３  軸部、１４  固定部材、１５  スリット、１６  カム、１９  窪み、２１  線状溝、２２  固定ピン、２３  滑車、２４  ネジ穴、２５  ネジ、２６  弾性部材、２７  スタンドアーム、３０  スタンド、３１  台座、３２  背面板、３３  アーム、５１  スピーカ（付属部材）、５２  滑車、５３  接続部材
【発明を実施するための最良の形態】
【００１９】
以下、本発明の実施の形態について図面に従って説明する。しかしながら、本発明の技術的範囲はかかる実施の形態に限定されるものではなく、特許請求の範囲に記載された発明とその均等物にまで及ぶものである。【００２０】
図１は、本発明の第一の実施形態におけるディスプレイ装置を説明する図である。図１Ａは、ディスプレイ装置の正面図であり、図１Ｂは、ディスプレイ装置の背面図であり、図１Ｃは、ディスプレイ装置の右側面図である。ディスプレイ装置は、情報を表示する略長方形の表示画面であるモニタ１１を有するディスプレイ部１０と、ディスプレイ部１０を支持するスタンド３０とから構成される。【００２１】
図１Ｂを参照し、ディスプレイ部１０の背面には、その中心にディスプレイ部１０に対して垂直な円柱状の固定ピン１３が固定される。図１Ｃを参照し、固定ピン１３は、途中で径が小さくなる２段構造をしており、先端は、スタンド３０を貫通し幅広の固定部材１４が固着される。こうして、ディスプレイ部１０が前方（図１Ｃにおいて左方向）に抜け落ちることはない。【００２２】
図１Ｃを参照し、ディスプレイ部１０の背面には、更に、固定ピン１３を囲むように閉接されるガイド溝１２を有する。ガイド溝１２によって環状の軌道辺が形成される。そして、ガイド溝１２には、環状の軌道辺上の他の位置よりも固定ピン１３に近づく窪み１９が形成されている。【００２３】
第一の実施形態のスタンド３０は、載置面に置かれる台座３１と、台座３１から垂直に延びる背面板３２を含む。背面板３２には、固定ピン１３が挿入される線状溝２１が垂直方向に形成される。線状溝２１の横幅は、固定ピン１３の大きい方の径にほぼ一致する大きさであり、線状溝２１が左右に揺れることはない。線状溝２１の深さは、固定ピン１３の径が変わる位置に合わせてある。図１Ｂを参照すると、背面板３２の背面には、更に、径が小さくなった固定ピン１３が貫通するスリット１５が設けられ、スリット１５の横幅は固定部材１４の横幅よりは小さい。これは、前述したディスプレイ部の抜け落ち防止のためである。【００２４】
背面板３２には、更に線状溝２１の下方にディスプレイ部１０に対して垂直に突出する別の固定ピン２２が固定される。この固定ピン２２は、ディスプレイ部１０のガイド溝１２に収まる。つまり、固定ピン２２の径は、ガイド溝の溝幅にほぼ一致する大きさである。【００２５】
図２は、ディスプレイ部１０とスタンド３０の接続関係を説明する図である。図２Ａは、ディスプレイ部１０の背面図であり、図２Ｂは、スタンド３０の右側面図である。ガイド溝１２の窪み１９は、ディスプレイ部１０の中心を通り、ディスプレイ部１０の短辺、長辺に平行な２本の直線の延長線上に形成される。窪み１９は、図２においては、ディスプレイ部１０の縦方向、横方向に１つずつ配置されるが、左右対称な位置に更に窪みが配置され、全部で４つの窪みが存在してもよい。【００２６】
図２に示されるように、線状溝２１の下端にて固定ピン１３が支持されることにより、また、固定ピン２２がガイド溝１２に挿入されることにより、スタンド３０はディスプレイ部１０を支持する。【００２７】
図３は、固定ピン１３を中心に囲む閉接された軌道辺の実現例を示す図であり、図３Ａ、Ｂはそれぞれディスプレイ部１０の断面図、および右側面図である。図３Ａにおいては、ディスプレイ部１０に対して陥没した格好で設けられる溝が描かれる。これは第一の実施形態の説明において使用しているガイド溝１２に対応する。ガイド溝１２に対してスタンド３０に固定された固定ピン２２が収められる。こうして、ガイド溝１２の内周側壁面に、閉接された環状の軌道辺が形成されることになる。【００２８】
図３Ｂに示される軌道辺は、ディスプレイ部１０の背面にて、突出して設けられる突出部材１６が描かれる。突出部材１６の外周がスタンド３０に固定された固定ピン２２によりなぞられる。こうして、突出部材１６の外周に、閉接された環状の軌道辺が形成されることになる。図３Ｂの突出部材１６は、後述する第一の実施形態の変形例及び第二の実施形態において使用される。【００２９】
本実施形態のディスプレイ装置は、モニタの背面に一端が固定される固定ピン１３を軸部としてディスプレイ部１０を回転させることにより、ディスプレイ部１０の長辺が鉛直方向と平行になる縦長状態と短辺が鉛直方向と平行になる横長状態とを切替えることができる。この回転時の様子を説明する。【００３０】
図４は、本発明の第一の実施形態におけるディスプレイ装置の回転時の様子を説明する図である。図４Ａは、左から順にモニタ横長時における正面図、断面図、背面図、背面斜視図であり、図１Ｂは、モニタ回転途中における正面図、断面図、背面図、背面斜視図であり、図１Ｃは、モニタ縦長時における正面図、断面図、背面図、背面斜視図である。図１Ａ〜図１Ｃにおける断面図は、各図における正面図（左から１番目）において線分ＰＱでディスプレイ装置を切断した時の断面図である。なお図４において、ディスプレイ部１０の抜け落ち防止のための固定部材１４は図示省略されている。【００３１】
図４Ａ、Ｃに示されるように、縦長状態、横長状態にあるときは、スタンド３０に固定される固定ピン２２が、ガイド溝１２（軌道辺）の窪みに位置することでディスプレイ部１０が安定する。また、縦長状態と横長状態にあるときのモニタ１１の高さは、窪みの深さによって定まることがわかる。【００３２】
図４Ｂに示されるのは、ディスプレイ部の対角線が鉛直方向となる時点のディスプレイ装置の様子である。この状態でも、線状溝２１に沿ってディスプレイ部１０に固定される固定ピン１３が上方へ移動するため、斜めになったディスプレイ部１０の下端が床面に接触することもない。こうして、ユーザは、モニタ１１の中心を回転中心とした回転動作のみによって、向きを変更した後の画面（モニタ）１１の高さを最適にすることができる。【００３３】
以降の説明は、適宜図４から必要な図を拡大して使用する。全体の状況を把握する図４と個別の図を合わせて参照されたい。【００３４】
図５Ａは、第一の実施形態におけるモニタ横長時の断面図を拡大したものであり、図５Ｂは、第一の実施形態におけるモニタ横長時の背面図を拡大したものである。それぞれ、図４Ａにおける、左から２番目、３番目の図に対応する。図５Ａに示されるように、ガイド溝１２は、環状であるため、図２Ａの断面図において固定ピン１３の上下に２つ現れる。【００３５】
ディスプレイ部１０を回転させると、スタンド３０に固定される固定ピン２２がガイド溝１２に留まるよう、ディスプレイ部１０がガイド溝１２（軌道辺）に沿って変位する。これは、相対的に見ると、ガイド溝１２に誘導されて、固定ピン２２がガイド溝１２を移動することを意味する。このとき、固定ピン２２はスタンド３０に固定されているため、固定ピン２２とディスプレイ部１０の中心との距離に応じて、ディスプレイ部１０に固定される固定ピン１３が線状溝２１に沿って上下に移動する。【００３６】
図５Ｂに示されるように、ガイド溝１２は、４箇所で軌道が内側に食い込んでおり、窪みを有する。ディスプレイ部１０が横長状態で安定しているのは、図５Ｂに示されるように固定ピン２２がその窪みの１つに位置しているためである。こうして、４箇所の窪みは、ディスプレイ装置を縦長または横長で安定させるために使用される。【００３７】
図５Ａにおいて、固定ピン１３は、線状溝２１の下端に位置する。横長時のモニタ１１の高さは、この線状溝２１の下端の位置で決まるため、これを調整することによって、モニタ１１の横長時において、ユーザが見やすい高さにモニタ１１が位置するようにすることができる。続いて、モニタ１１を図５Ｂにおいて反時計回り（矢印方向４１）に回転させると、やがて、ディスプレイ部１０の対角線が、線状溝２１の方向に一致する。【００３８】
図６Ａは、その時の断面図を拡大したものであり、図６Ｂは、背面図を拡大したものである。それぞれ、図４Ｂにおける、左から２番目、３番目の図に対応する。図５から図６への回転の途中において、固定ピン２２は、図５Ｂの位置から相対的に左に移動する（実際は、ガイド溝１２が回転し、固定ピン２２は固定されている）。【００３９】
そして、固定ピン２２とディスプレイ部１０の中心との距離が長くなるため、それに応じてディスプレイ部１０に固定される固定ピン１３が線状溝２１を上へと移動する。従って、回転の途中でディスプレイ部１０が台座３１や床面（設置面）に接触、干渉することはない。図６Ａにおいてもディスプレイ部１０と台座３１の間に十分な隙間があることがわかる。【００４０】
図６Ａにおいて、固定ピン１３は、線状溝２１の上端に位置する。ディスプレイ部１０の対角線が、線状溝２１の方向に一致するとき、固定ピン２２とディスプレイ部１０の中心との位置が最も離れるため、この場合でもモニタ１１が台座３１や床面に接触しないように、線状溝２１の上端の位置が決定される。続いて、モニタ１１を図６Ｂにおいて反時計回り（矢印方向４２）に更に回転させると、やがて、モニタ１１は、縦長状態になる。【００４１】
図７Ａは、第一の実施形態におけるモニタ縦長時の断面図を拡大したものであり、図７Ｂは、第一の実施形態におけるモニタ縦長時の背面図を拡大したものである。それぞれ、それぞれ、図４Ｃにおける、左から２番目、３番目の図に対応する。図６から図７への回転の途中において、固定ピン２２は、図６Ｂの位置から相対的に更に左に移動し、図５Ｂにおける固定ピン２２が位置する窪みからディスプレイ部１０の中心を中心に９０度時計回りに回転させた位置にある窪みに近づく。【００４２】
この間、固定ピン２２とディスプレイ部１０の中心との距離は、図６Ｂの状態より短くなるため、ディスプレイ部１０に固定される固定ピン１３は、線状溝２１の上端から徐々に下がり、固定ピン２２が、縦長状態に固定するための窪みに到達すると線状溝２１の下端より少し上の位置で停止する（図７Ａ参照）。これは、縦長時に対応する窪みの位置が、横長時と比べると中心から少し離れているためである。縦長時のモニタ１１の高さは、ガイド溝１２における窪みの形状で決まり、モニタ１１の縦長時において、ユーザが見やすい高さにモニタ１１が位置するように調整される。【００４３】
なお、本実施形態のディスプレイ装置では、モニタ１１を時計回りに回転させて、モニタ１１の向きを変更することもできる。また、縦長状態から横長状態に変更することもできる。【００４４】
以上に説明した第一の実施形態によれば、モニタ１１の向きを縦長あるいは横長に変更する場合、モニタ１１の回転動作だけで、変更後のモニタ１１の高さが最適に調整される。こうして、ユーザはモニタ１１の向きの変更と高さの調整を一度の動作で済ませることができ、モニタ１１の向きの変更に伴うユーザの手間が軽減される。【００４５】
また、モニタ１１の向きを変更するには、モニタ１１を左右どちらに回転してもよく、モニタ１１の回転が一方向に限定されることで起こる部品の損傷等を防ぐことができる。また、このことは、ユーザに対して優しい（ユーザフレンドリーな）設計となる。【００４６】
続いて、第一の実施形態の変形例を説明する。第一の実施形態においては、スタンド３０が、載置面に置かれる台座３１と、台座３１から垂直に延びる背面板３２を含んでいたが、ここでは、壁面等に固定するための取り付け部材と、その取り付け部材に接続されるアームを含むものとする。取り付け部材としては、机や棚に固定するためのクリップや、壁や柱にネジ止めして固定するための部材などがある。アームは、例えば、病院、歯科医院等において患部を照らし出すための照明に取り付けられるアームのような、位置、角度を自由に調節可能なものである。【００４７】
図８Ａは、第一の実施形態の変形例を説明する図である。ディスプレイ部１０は、壁面３６に固定される取り付け部材３４から伸びるアーム３３によって支持されている。アーム３３と取り付け部材３４とは、連結部材３５を介して接続されている。【００４８】
図８Ｂは、連結部材３５を分解した図である。連結部材３５を構成する立方体の３つの連結ブロック３５１、３５２、３５３が、互いのブロックを回動可能にする回動部材３５４によって接続される。図８Ａは、連結ブロック３５１の一面が取り付け部材３４に固定され、連結ブロック３５３の一面がアーム３３に接続された状態を示すものである。こうして、アーム３３の角度、位置を自由に変えて、ディスプレイ部１０を好きな位置に配置することができる。【００４９】
次に、第一の変形例のディスプレイ装置を回転するときの様子を説明する。【００５０】
図９は、第一の実施形態の変形例におけるディスプレイ装置を回転するときの様子を説明する図であり、図９Ａは、モニタ横長時の背面図、図９Ｂは、モニタ縦長時の背面図である。図９Ａに示されるように、本変形例におけるディスプレイ装置は、ディスプレイ部１０と、ディスプレイ部１０を支持するアーム３３から構成される。図９Ａでは、図示省略されているが、アーム３３には、壁面に取り付けるための取り付け部材が接続され、本変形例のディスプレイ装置を壁面に固定することができるようになっている。また、同じく図示省略されているが、ディスプレイ部１０の表面には、情報を表示するモニタが配置され、第一の実施形態同様、固定ピン１３にはディスプレイ部１０の抜け落ち防止用の固定部材１４が取り付けられている。【００５１】
ディスプレイ部１０の背面には、モニタの向きを変更するためのディスプレイ部１０に固定される固定ピン１３がディスプレイ部１０の中心に取り付けられる。ディスプレイ部１０をディスプレイ部１０に固定される固定ピン１３に沿って回転させると、モニタの向きが縦長又は横長へと変えられる。ディスプレイ部１０に固定される固定ピン１３をアーム３３側で受けるのは、線状溝２１である。【００５２】
線状溝２１は、本変形例においては、アーム３３に沿ってアーム３３に平行に伸びる溝であり、アーム３３の方向と垂直な方向の幅は、ディスプレイ部１０に固定される固定ピン１３の径を挟み、ディスプレイ部１０に固定される固定ピン１３がぶれるのを防ぐ程度の大きさである。線状溝２１には、線状溝２１に嵌め入れられるディスプレイ部１０に固定される固定ピン１３の可動限界がアーム３３の方向と平行に設けられ、ディスプレイ部１０に固定される固定ピン１３が線状溝２１内の可動限界を超えて移動することはない。【００５３】
本変形例のディスプレイ装置における特徴としては、ディスプレイ部１０の背面に、カム１６を設け、アーム３３に、カム１６の外周に接する滑車２３を設けることにある。カム１６は、
図３Ｂに示した突出部材１６に対応し、所定の厚みを持っており、カム１６の外周は、環状の軌道辺を形成する。滑車２３は、カム１６に接し、カム１６の外周をなぞる。こうして、滑車２３は、ディスプレイ部１０を支持する。【００５４】
ディスプレイ部１０を回転させると、滑車２３がカム１６の外周をなぞり、それに応じてディスプレイ部１０が変位する。これは、相対的に見ると、カム１６に誘導されて、滑車２３がカム１６の外周に形成される環状の軌道辺を移動することを意味する。このとき、滑車２３はアーム３３に固定されているため、滑車２３とディスプレイ部１０の中心との距離に応じて、ディスプレイ部１０に固定される固定ピン１３が線状溝２１内の可動範囲を移動する。【００５５】
図９Ａに示されるように、カム１６の外周に形成される環状の軌道辺は、２箇所で軌道が内側（ディスプレイ部１０中心側）に食い込んでおり、窪みを形成する。ディスプレイ部１０が横長状態で安定しているのは、図９Ａに示されるように滑車２３がその窪みの１つに位置しているためである。こうして、２箇所の窪みは、ディスプレイ装置を縦長または横長で安定させるために使用される。【００５６】
図９Ａにおいて、モニタを時計回り（矢印方向４３）に回転させると、やがて、モニタは、図９Ｂに示すように縦長になる。図９Ａから図９Ｂへの回転の途中において、滑車２３は、図９Ａの位置から相対的に右に移動し、図９Ａにおけるもう一つの窪みに収まる。この間、滑車２３とディスプレイ部１０の中心との距離に応じて、ディスプレイ部１０に固定される固定ピン１３は、線状溝２１に沿って移動する。【００５７】
なお、本変形例のディスプレイ装置では、モニタを反時計回りに回転させて、モニタの向きを変更することもできる。また、縦長から横長に変更することもできる。更に、図９においては、図面作成を簡単にするため、カム１６には窪みを２箇所に配置しているが、ディスプレイ部１０の中心に点対称な位置に窪みが追加され、全部で４箇所に窪みを持つカム１６を用いることも可能である。【００５８】
こうして、モニタ１１の横長時、縦長時において、ディスプレイ部１０に固定される固定ピン１３と滑車２３（第一の実施形態で言えば固定ピン２２）が鉛直線上に並んでいない場合であっても本発明の実施は可能である。本変形例においては、アーム３３による自由な位置調整が可能となるため、ディスプレイ装置での高さ調整は余り意味を持たない場合もあるが、窪みの形状や窪みにおける食い込みの深さを調整することで横長時、縦長時の画面高さの調整が可能である。そして、本変形例においても、第一の実施形態と同様の効果が得られる。【００５９】
続いて、第二の実施形態を説明する。第二の実施形態においては、ディスプレイ装置に取り付けられるスピーカや、画面の調整を行うためのオペレーションキー等の付属物が、モニタの縦長時、横長時どちらの時でもディスプレイ部の左右に配置される。従って、回転動作の前後で付属物を取り外したり、取り付けたりする作業を必要としない。【００６０】
図１０は、本発明の第二の実施形態におけるディスプレイ装置を説明する背面図である。第一の実施形態同様、ディスプレイ装置は、情報が表示されるモニタ（図１０において図示省略）を含むディスプレイ部１０と、ディスプレイ部１０を支持するスタンドから構成される。【００６１】
スタンドは、更に、台座３１と、設置面に対し垂直に延びる背面板３２を含む。ディスプレイ部１０の背面には、モニタの向きを変更するためのディスプレイ部１０に固定される固定ピン１３がディスプレイ部１０の中心に取り付けられる。【００６２】
ディスプレイ部１０に固定される固定ピン１３をスタンド側で受けるのは、線状溝２１である。線状溝２１は、第一の実施形態同様、設置面に対し垂直に延びるスタンドの背面板３２に沿って垂直方向に伸びる溝であり、その横幅は、ディスプレイ部１０に固定される固定ピン１３の径を挟み、ディスプレイ部１０に固定される固定ピン１３が左右にぶれるのを防ぐ程度の大きさである。線状溝２１には、上端と下端が設けられ、線状溝２１に嵌め入れられるディスプレイ部１０に固定される固定ピン１３が線状溝２１内を上下に移動してもスタンド３０から飛び出すことはない。なお、図示省略されているが、第一の実施形態同様、固定ピン１３にはディスプレイ部１０の抜け落ち防止用の固定部材１４が取り付けられている。【００６３】
第二の実施形態のディスプレイ装置においては、ディスプレイ部１０の背面に、環状の軌道辺を形成するカム１６を設け、スタンドの背面板３２に、カム１６に接する滑車２３を設ける。滑車２３は、カム１６に接し、ディスプレイ部１０を支持する当接部材である。カム１６は、所定の厚みを持っており、その外周が滑車２３によりなぞられる。この外周が、環状の軌道辺を形成することになる。【００６４】
ディスプレイ部１０を回転させると、滑車２３がカム１６の外周をなぞり、それに応じてディスプレイ部１０が変位する。これは、相対的に見ると、カム１６に誘導されて、滑車２３がカム１６の外周に形成される環状の軌道辺を移動することを意味する。このとき、滑車２３はアーム３３に固定されているため、滑車２３とディスプレイ部１０の中心との距離に応じて、ディスプレイ部１０に固定される固定ピン１３が線状溝２１に沿って移動する。【００６５】
第二の実施形態においては、付属物としてスピーカ５１がスタンドに接続される。次図を用いてこの様子を説明する。【００６６】
図１１は、第二の実施形態におけるディスプレイ装置の部分分解図である。スタンドは、台座３１と、台座３１から垂直に伸びる背面板３２と、スピーカを取り付けるためのスタンドアーム２７を有する。スタンドアーム２７は、背面板３２から水平方向に取り付けられる部材であり、背面の一部がくり抜かれている。スタンドアーム２７の正面部分は、２枚の板が上下に空間を空けて配置されている。さらに、横からスピーカとの接続部材を受け入れる挿入口が形成される。【００６７】
スピーカ５１は、左右に一対用意され、それぞれに、スタンドアーム２７に挿入するための接続部材５３が接続される。ここでは、接続部材５３の断面が、スタンドアーム２７の挿入口の形状に合わせて台形になっている。接続部材５３には、表面に滑車５２が固定され、背面には、ネジ穴２４が設けられる。【００６８】
そして、接続部材５３をスタンドアーム２７に横から挿入し、その後スタンドアームの背面にくり抜かれた箇所からネジ２５を締めることによって、スピーカ５１がスタンドに接続される。左右のスピーカ５１の設置が済むと、左右のスピーカの接続部材５３に取り付けられたネジ２５同士を、ばね、ゴム等の弾性部材２６により接続する。こうして、スピーカ５１は、弾性部材２６の復元力によって互いに近づくようになる。【００６９】
図１２は、第二の実施形態においてモニタを回転させる時の様子を説明する背面図であり、図１２Ａは、モニタ横長時、図１２Ｂは、モニタ回転途中、図１２Ｃは、モニタ縦長時を示す。図１２Ａに示されるように、カム１６は、４箇所で軌道が内側に食い込み、窪みを有する。【００７０】
図１２Ａにおいて、ディスプレイ部１０が横長状態で安定しているのは、図１２Ａに示されるようにスタンドに固定される滑車２３がその窪みの１つに位置しているためである。こうして、４箇所の窪み（凹部）は、ディスプレイ装置を縦長または横長で安定させるために使用される。【００７１】
このとき、スピーカ５１を移動させるための滑車５２は、ディスプレイ部１０を横長に安定するのに使用される窪みの位置からディスプレイ部１０の中心を中心に９０度時計回りに回転させた位置にある窪みに位置する。２つある滑車５２は、図１１で説明したように弾性部材で接続されており、互いに近づこうとするため、滑車５２が図１２Ａの窪みに位置するとカム１６を挟むことでスピーカ５１が安定する。図１２Ａにおいて、モニタを反時計回り（矢印方向４４）に回転させると、やがて、ディスプレイ部１０の対角線が、線状溝２１の方向に一致する。【００７２】
図１２Ｂは、その時の背面図である。図１２Ａから図１２Ｂへの回転の途中において、スタンドに固定される滑車２３は、図１２Ａの位置から相対的に左に移動する。そして、滑車２３とディスプレイ部１０の中心との距離に応じて、ディスプレイ部１０に固定される固定ピン１３が線状溝２１内を摺動する。【００７３】
このとき、滑車５３は、回転途中のカム１６か、ディスプレイ部１０によって外側に押し出される。図１２Ｂでは、背面から見て左側のスピーカを移動させる滑車５２はカム１６によって外側に押し出され、背面から見て右側のスピーカを移動させる滑車５２はディスプレイ部１０によって外側に押し出され、その結果、右側の滑車５２は、カム１６から離れた状態にある。続いて、モニタを図１２Ｂにおいて反時計回り（矢印方向４４）に更に回転させると、やがて、モニタは、縦長になる。【００７４】
図１２Ｃは、第二の実施形態におけるモニタ縦長時の背面図である。図１２Ｂから図１２Ｃへの回転の途中において、スタンドに固定される滑車２３は、図１２Ｂの位置から相対的に更に左に移動し、図８Ａにおける滑車２３が位置する窪みからディスプレイ部１０の中心を中心に９０度時計回りに回転させた位置にある窪み（凹部）に近づく。【００７５】
このとき、スピーカ５１を移動させるための滑車５３は、カム１６の形状及び、滑車５３を接続する弾性部材の弾性力によって、ディスプレイ部１０に近寄る動きをする。図１２Ｃでは、背面から見て左側のスピーカを移動させる滑車５２はカム１６の形状に沿って移動し、窪みにおいて安定する。背面から見て右側のスピーカを移動させる滑車５２は、滑車５２を外側に押し出していたディスプレイ部１０の傾きが解消されるに連れ、弾性部材２６の復元力によってカム１６に引き寄せられる。こうして、滑車５２も窪みで安定する。縦長時に滑車５２が位置する窪みは、ディスプレイ部１０を横長状態で安定させるために滑車２３が位置していた窪みである。同様に、横長時に滑車５２が位置する窪みは、ディスプレイ部１０を縦長状態で安定させるために滑車２３が位置していた窪みである。【００７６】
なお、図１２に示すカムは、正方形の各辺の中点付近を窪ませた形状をしており、縦長状態と横長状態のモニタ高さが同じ高さとなるが、カムの全体形状を長方形にする、窪みの深さを変更する等の調整を行えば、縦長状態、横長状態でそれぞれ最適なモニタ高さ、位置を実現することができる。また、第二の実施形態のディスプレイ装置でも、モニタを時計回りに回転させて、モニタの向きを変更することもできる。また、縦長から横長に変更することもできる。【００７７】
以上に説明した第二の実施形態においては、第一の実施形態において説明した効果に加えて、更に、スピーカや画面の調整を行うためのオペレーションキー等がディスプレイ装置に付属している場合、画面が縦長でも横長でも、付属物をディスプレイ装置の左右の適切な位置に配置することができる。こうして、画面の向きを変更しても付属物をユーザが再度取り付ける作業は必要ではなく、画面の向きの変更に伴うユーザの手間が軽減される。【００７８】
以上の説明では、第一の実施形態においては、固定ピンを、ガイド溝により誘導される被誘導部材、ガイド溝を、固定ピンを誘導する誘導機構として用いた。変形例及び第二の実施形態においては、滑車を、カムにより誘導される被誘導部材、カムを、滑車を誘導する誘導機構として用いた。しかし、この組合せは自由に変えて良い。つまり、第二の実施形態のように付属物を有するディスプレイ装置において固定ピンとガイド溝の組合せを使用しても良い。その逆も同様である。【００７９】
また、環状の軌道辺として、ディスプレイ部背面に形成される溝ではなく、一本の線の始点を終点をつないでできる環状軌道をディスプレイ部の背面に貼り付けた、ちょうどモノレールのレールのような盛り上げ型のレール部材を使用してもよい。その場合、レールの外周をなぞる滑車をスタンドに固定すれば、本発明の実施が可能である。また、その場合、例えば、レール部材を取り外し可能な部材とし、形状記憶合金等の変形可能な素材を用いれば、ユーザが自由に軌道の形状を変えることができ、最適な画面高さを自ら調整することもできる。【００８０】
さらに、ディスプレイに対する付属品として、スピーカを例に第二の実施形態を述べたが、付属品としてスピーカの代わりに、カメラのような入出力機器や、ヘッドフォンやUSBなどの入出力端子であってもよい。また、これら付属品はスピーカの例に示される左右だけではなく、上下にも配置可能である。
【産業上の利用可能性】
【００８１】
縦長、横長に向きを変更可能なディスプレイ部を有する情報端末に本発明の適用が可能である。
【図１】
0004344385.tif 000002
【図２】
0004344385.tif 000003
【図３】
0004344385.tif 000004
【図４】
0004344385.tif 000005
【図５】
0004344385.tif 000006
【図６】
0004344385.tif 000007
【図７】
0004344385.tif 000008
【図８】
0004344385.tif 000009
【図９】
0004344385.tif 000010
【図１０】
0004344385.tif 000011
【図１１】
0004344385.tif 000012
【図１２】
0004344385.tif 000013